(57)【要約】【課題】  高齢化社会における社会的な問題ともいえる寝た切り状態の患者さんや障害者に自立を促すためには、誰もが簡単で気軽で、さらに楽しくできるリハビリを自らが日常生活に溶け込んだ形で行うことが重要視されています【解決手段】    いろんな傷病により、動作環境の範囲を制限され、寝たきり状態になっている患者さんや障害者に対応した寝たままの状態でできるストレッチ運動法を提供するとともに、すべての患者さんに共通した運動法を提供したり、仰向けや側臥位、うつ伏せなどの体位制限や片麻痺や半身麻痺などの動作範囲を制限された患者さんに対応した個別の運動法を提供するなどの環境に合わせた運動法であり、なおかつ、それぞれの症状や環境に適応した運動の動作手順や解説、さらに、リズムに乗って運動ができるようにと考えられたＢＧＭの挿入により、楽しい気分で行える運動法を発明しました【特許請求の範囲】
【請求項１】
ベッドや布団の上などで寝たままの状態でできるストレッチ運動を取り入れる方法
【請求項２】
傷病などによって、すべての患者さんに対応した共通の運動法を提供したり、仰向けや側臥位、うつ伏せの状態に制限されている患者さんや障害者、あるいは片麻痺や半身麻痺など、動作環境の範囲に制限を受ける患者さんや障害者に対応した個別の運動法を取り入れる方法
【請求項３】
それぞれの運動法に適応した動作手順や動作による効果などの解説を入れ、さらにリズムに乗りながら運動が楽しめるようにＢＧＭを挿入する方法
【請求項４】
動作範囲や体位制限などの環境により、全身運動や上半身または下半身、腰痛体操などユーザーのニーズに対応して組み合わせることで、個別の運動法を提供する方法
【請求項５】
音楽著作権料加算によるユーザーのニーズに対応した個別のＢＧＭを挿入し、オリジナリティー豊かな商品の提供を可能とする方法
【請求項６】
ＣＤやＤＶＤのメディアに収録することで、誰でも気軽にいろんな場面での活用を提供できる方法
【発明の詳細な説明】
【技術分野】
【０００１】健康促進型運動療法の分野
【背景技術】
【０００２】ＢＧＭや手順を入れたストレッチ体操やラジオ体操などの教材など
【先行技術文献】
【０００３】  ストレッチ体操、各傷病に対応したリハビリ療法
【発明の概要】
【０００４】  寝たきりの病人や普段から仕事の忙しさにかまけてなかなかできない体操やストレッチをベッドや布団の上で、仰向けや側臥位、うつ伏せなどの各体位や片麻痺や半身麻痺などの傷病に合わせたストレッチ運動を寝たままの状態でできるストレッチケアを提供し、さらにＢＧＭや動作手順などを加えることで、誰でも簡単に、自分の動作環境に合わせた運動が可能と成り、自立の促進を期待する商品です
【発明が解決しようとする課題】
【０００５】  老齢を迎えた人が、ちょっとした不注意で転倒などをして、病院に入院し、そのまま寝たきり状態に至るケースをよく耳にしますが、これらは、治療施設の治療システム自体に限界があるためで、治療スタッフの不足などが問題視され、リハビリなどの時間が容易に確保できないためだともされています。このような患者さんを自立へと導くには、自分の動作環境の範囲内のリハビリを誰の助けも受けずに自らが率先して行うことが最も重要視されます。こんな場合にベッドや布団の上で、寝たままの状態でできるリハビリで、しかも簡単で楽しくできる運動法があれば、日常的に習慣性を持たせることが可能となり、自立を促進する要素となりうるものです
【問題を解決するための手段】
【０００６】  病院などで傷病を患い、ベッドから移動できない、または動けないという患者さんがたくさんおられます。このような環境で長期間過ごすと、自立への望みも薄れていき、日常生活への復帰へのあきらめが芽生え、寝たきり状態への引き金をひいてしまう事例が多いそうですが、これらの理由のひとつとして考えられるのが、まず、自分で運動などをしたいが、その環境が整っていなかったり、どのような運動が効果的なのか、さらに大部屋の場合などでは、周囲の目を気にしたりして、なかなかできるものではありません。
そういう患者さんには、傷病によって異なってはきますが、みんなが参加できて、しかも運動の手順などがわかり、なおかつ、音楽のリズムに乗りながらできるリハビリがあれば自立への、希望が芽生え、寝たきり状態からの脱出が可能と成るでしょう。
そのような患者さんに対応したリハビリ方法を発明しました。
それは、すべての患者さんに共通した運動法を取り入れたり、傷病により、仰向けや側臥位、うつ伏せ状態で動けない患者さんや片麻痺や半身麻痺などの動作環境が制限されている患者さんに対応した個別の運動法を取り入れたりできる寝たままの状態でできる運動法で、環境に合わせて、全身運動や上半身・下半身、腰痛体操などを取りいれるとともに、それぞれの運動に関連した手順や解説を加え、さらにリズムに乗りながら、運動ができるようにＢＧＭを加えています。また、このＢＧＭも音楽著作権料（１商品に対して１曲分の料金）を加算するだけで、その患者さんの好みのＢＧＭの使用が可能となり、楽しく参加でき、自立への希望が向上します。
また、全身運動の場合でも、動作環境に制限を受ける患者さんが参加することで、動作範囲外の動作への挑戦が芽生える場合もあります。
これらを時間枠を設定して、入院病棟全体に流すことで、患者さん全員が周囲を気にせず気軽に運動ができ、しかも、同じ傷病を患う人がここまでできたと聞くと、自分もそこまでできるんだ、あるいはしてやろうという闘争心のようなものが芽生えたり、運動法のことが話題になり、患者さん同士で、容易な動作方法や運動法による効果などの情報交換も期待でき、憂鬱な入院生活に明かりが灯ることでしょう。
この商品はＣＤやＤＶＤなどのメディアに収めることで、入院施設のみならず、各ご家庭で寝たきり生活を送られる患者さんにも、気軽に利用していただけるものです。
この発明は、先に特許出願済のパートナーズケアの番外編として開発された商品です。ご高齢を迎えられる人たちの健康を願い、ひとりでも寝たきりの状態にならないようにと考えられたものです。また、希望を失い、憂鬱で不安に満ちた入院生活を改善し、日常生活への復帰を目指す目標としての価値を見出してくれることを期待する商品でもあります。
【発明の効果】
【０００７】  誰でも簡単に利用でき、利用される側の動作環境や生活環境など、ニーズに応えた運動動作環境が提供でき、さらに寝たままで出来ることで、習慣性を期待でき、日常生活に溶け込んだ運動療法となりうるものであり、、なおかつ、動作手順や解説とともに既存あるいはオリジナルのＢＧＭを使用することで、楽しく自立ができる運動法となります
【実施例】
【０００８】  病院などの治療施設内の入院病棟やリハビリ室、その他老人ホームや身体障害者施設または各ご家庭で寝たきり状態になっておられる患者さんに対して、周囲の人たちの協力や環境を作ってあげることで、自立への希望を与えることのできる運動法です。
【産業上の利用可能性】
【０００９】  高齢社会にともなう寝たきり状態のみならず、それ以外の傷病などで、一時的な安静を強制され、ベッドや布団の上から動けない患者さんの日常生活への復帰を助ける要素となったり、健康な方でも、仕事の忙しさにかまけて運動ができなかったり、普段から動くのが嫌いで横着をする人などに、夜の就寝時や朝の起床前などに寝ながらできる運動法としての利用が期待できる商品です。また音楽著作権料をプラスするだけで、個別のユーザーに対応した商品の提供も可能と成り、いろんな環境に適応したサービスの提供が期待できます。